【手続補正書】
【提出日】平成26年1月10日(2014.1.10)
【手続補正１】
【補正対象書類名】明細書
【補正対象項目名】０００３
【補正方法】変更
【補正の内容】
【０００３】
最高で２時間もかかる従来の歯科医院での歯のホワイトニングは苦痛を伴う場合があり、治療後約７日で顕著な退行が始まることによって費用がかさむことが多い。改良されたホワイトニング結果は３００〜９９０ｎｍの範囲の白色光を使用する専門的な設定環境で得られるが、このような処置は費用がかさみ、かつ多くの時間を必要とする。一般市販薬製品にはこれ以外に、使用が難しい、指への刺激がある、結果が出るまで通常７〜１０日間かかるといった欠点がある。多くの場合最小限の改善しかなされていない。消費者は、専門家による冒頭のホワイトニングと同様の結果が得られ、かつ頻繁に適用できホワイトニング結果をより安定させることが可能な、家庭用のカスタマイズできるホワイトニングの代替手段を必要としている。
【手続補正２】
【補正対象書類名】明細書
【補正対象項目名】００３４
【補正方法】変更
【補正の内容】
【００３４】
図１に示すように、マウスピース１０は複数の部分で形成された咬合面１２を含む。咬合面１２は本体１４の中心にありかつこれに対して垂直であり、従って本体１４の片側、つまり内側表面の中心部分から外に向かって延出している。一般に咬合面１２は、ユーザの口の中で上部アーチと下部アーチの間に置かれたときマウスピース１０の安定性を保証するように構成されている。咬合面１２は区分されたまたは分割された３つの部分から形成され、これによりユーザの口のサイズに適合するように本体１４を曲げ、いずれの隣接する咬合面部分にも重ならずに異なる構成の分割された咬合面部分即ち咬合用タブを提供することが可能になる。このような３つの構成は、図３Ａ、Ｂ、Ｃに示される。咬合面部分の数は例示の実施形態の３つとは異なっていてもよい。
【手続補正３】
【補正対象書類名】明細書
【補正対象項目名】００３６
【補正方法】変更
【補正の内容】
【００３６】
一連のスーパーブライト発光ダイオード（ＬＥＤ）２４及び熱生成器、即ち熱生成抵抗体２６が可撓性基板２２上に配列され即ちＬＥＤの列（アレイ）及び熱生成抵抗体の列（アレイ）が図２に示す通り各々形成され、少なくともＬＥＤ２４はその内側の舌側に配列される。電源コード２０が外面の中央に装着され、ＬＥＤ２４及び熱生成抵抗体２６への電力供給が可能になる。
本発明のいくつかの実施形態では、可撓性回路基板２２は発光ダイオードまたは他の光を生成する構成要素を１つだけ含み、複数の発光ダイオードは存在しないことも想定し得る。同様に本発明のいくつかの実施形態では、可撓性回路基板２２は熱生成器を１つだけ含み、複数の熱生成器は存在しないことも想定し得る。更に熱生成抵抗体２６はマウスピース１０の内側の熱生成器または熱源を例示しており、マウスピース１０が温められ変形することができるようにマウスピース１０内から熱を生成する異なる構成要素も本発明の範囲及び精神の範囲内であると想定されている。
【手続補正４】
【補正対象書類名】特許請求の範囲
【補正対象項目名】全文
【補正方法】変更
【補正の内容】
【特許請求の範囲】
【請求項１】
本体と、
本体の中央から後方に向かって延出し、且つユーザーの上歯に係合するよう形成した上面及びユーザーの下歯に係合するよう形成した下面を有する咬合面とを備え、
本体はアーチ構造を確定するため、その配向を調節するために手動による力を受けて曲げられるように構成され、
上記本体は咬合面上の共通の面上に光を生成する発光体の列と、発光体の列の上方に第１の熱生成器の列及び発光体の列の下方に発熱体の第２の列を含み、作動したとき熱生成器は熱を発生し、マウスピースがユーザーの口の中に受け入れられるとき、上記列が作動され、上記発光体の列及び熱生成器の列は熱及び光を当てるために咬合面の上下で、口の中に曝され、熱発生器の列の作動は本体を加熱し、これにより本体がユーザーの口に適合するように形作ることが出来るよう順応性を出現させ、加熱生成器の列が作動を停止した後本体はその適合した形状を維持することを特徴とするマウスピース。
【請求項２】
本体は可撓性回路基板を保持する変形可能フレームを含み、発光体の列及び熱生成器の列が、可撓性回路基板上に配置される
請求項１に記載のマウスピース。
【請求項３】
本体が、可撓性回路基板を包み込み、発光体の列及び熱生成器の列が、可撓性回路基板の舌側に位置する
請求項２に記載のマウスピース。
【請求項４】
可撓性回路基板の外側に向いている面の中心部分に装着された電源コードを更に備える
請求項２に記載のマウスピース。
【請求項５】
発光体の列から治療される部分に向けて光を拡散させるために、本体の舌側に平行な一連の凹凸バンドを更に備える
請求項１に記載のマウスピース。
【請求項６】
マウスピースが研磨された面を含み、凹凸バンドがない場合と比べてより均一に歯の表面を照らすために、発光体の列から光を誘導し且つ方向付けるように凹凸バンドが配置され、凹凸バンドが、マウスピースの研磨面と比べて光路に対してより垂直に近くかつより反射率が低い凹凸面を有する
請求項５に記載のマウスピース。
【請求項７】
本体が変形可能フレームを含み、更に本体の構成を開放位置と閉鎖位置の間で選択的に配向し直すために、咬合面が、変形可能フレームが曲がる余地を与える複数の離間した部分に区切られる
請求項１に記載のマウスピース。
【請求項８】
マウスピースが、シールビードを密閉するために５〜１５度の角度範囲内で内側に傾斜する内面を有し、その内面がマウスピースの縁部に境界をつける
請求項１に記載のマウスピース。
【請求項９】
内面が内側に傾斜することによってシールビードが歯の上の歯茎に接触することが可能になり、その接触によってバリアシールを形成し、ホワイトニングゲルを保持し、ホワイトニングゲルによって治療される歯の部分に酸素が進入するのを阻止する
請求項８に記載のマウスピース。
【請求項１０】
発光体の列及び発光体の列の上下に配置した第１及び第２の熱生成器の列を各々含み、本体及び本体の中央から後方向かって延出する咬合面とを有するマウスピースを用意し、
その咬合面が上部アーチと下部アーチの間にあり、本体がユーザーの歯の前面とユーザの唇の内側の面との間に位置するようにマウスピースをユーザの口の中に置き、
咬合面の上下で口腔処置を行なうために発光体の列及び熱生成器の列を作動させ、更に本体及び咬合面は熱可塑性の素材を含み、更に熱生成器の列が作動したときに熱可塑性の素材を含む本体及び咬合面を暖めて造形でき、本体及び咬合面が口中処理中、ユーザーによってユーザの口に適合するするよう形作るように本体及び咬合面を造形させ、熱生成器の列が作動を停止した後、本体はその形作った形状を保持することを含む
ことを特徴とするマウスピースの作動方法。
【請求項１１】
ユーザの口の中にマウスピースを置く前に、ユーザの歯にホワイトニングゲルを塗布することを更に含む
請求項１０に記載の方法。
【請求項１２】
マウスピースが内面を有し、マウスピースの外側縁部に境界をつけるシールビードを密閉し、これによりホワイトニングゲルを保持するためのバリアシールを形成するために、５〜１５度の角度範囲内で内側に傾斜するように内面を構成することを更に含む
請求項１１に記載の方法。
【請求項１３】
マウスピースに於いてホワイトニングゲルが過酸化水素を含み、バリアシールが、過酸化水素を含むホワイトニングゲルによって処置される歯の部分から酸素が漏れるのを阻止する
請求項１１に記載の方法。
【請求項１４】
マウスピースは更にマウスピースの外側縁部の周囲にシールビードを含み、
マウスピースの作動方法は更にシールビードをユーザの歯茎に当てて配置することを含み、
シールビードがユーザの歯茎に当てて配置された後に始めて、発光体の列及び熱生成器の列を電気により作動することを含む
請求項１０に記載の方法。
【請求項１５】
本体内の変形可能フレームを調節することによって、マウスピースをユーザの歯茎に適合するように成形することを更に含む
請求項１０に記載の方法。
【請求項１６】
マウスピースがユーザの歯茎に当ててユーザの口の中に配置されたとき、マウスピースの周囲にシールを形成する丸められた外側ビードエッジをマウスピースに提供することを更に含む
請求項１０に記載の方法。
【請求項１７】
咬合面を本体に対して垂直であるように形成し、本体の中心部分から外に向かって延出させることを含む
請求項１０に記載の方法。
【請求項１８】
咬合面が複数の分割された部分を含み、これにより本体がユーザの口に適合するように曲がることが可能になり、いずれの隣接する複数の分割された部分にも重ならずに異なる形状の複数の分割された部分を有することを含む
請求項１０に記載の方法。
【請求項１９】
ユーザの口の中にマウスピースを置く前にユーザの少なくとも１つの歯にフッ化物と硝酸カリウムから成る群の少なくとも一方を含む知覚鈍化ゲルを塗布し、マウスピースがユーザの口の中に置かれたとき発光体の列及び熱生成器の列が作動することによって、少なくとも１つの象牙質の細管を密閉するフッ化物イオン及び／または硝酸カリウムの吸収量を増大させることを更に含む
請求項１０に記載の方法。
【請求項２０】
フッ化物及び硝酸カリウムから成る群の少なくとも一つが揺変状態である
請求項１９に記載の方法。
【請求項２１】
ユーザの口の中にマウスピースを置く前にユーザの歯茎にゲルを塗布し、発光体の列及び熱生成器の列が細菌を死滅させるために作動されることを更に含む
請求項１０に記載の方法。
【請求項２２】
ユーザの口の中にマウスピースを置く前にユーザの歯にゲルを塗布し、発光体の列及び熱生成器の列が汚れの原因となる細菌を死滅させるために作動されることを更に含む
請求項１０に記載の方法。
【請求項２３】
ユーザの口の中にマウスピースを置く前に口中の所定個所に対してゲルを塗布することを更に含む
請求項１０に記載の方法。